【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
制御を行う際に発生する変動データを記憶する遊技制御用変動データ記憶手段を有し、遊技の進行を制御する遊技制御用マイクロコンピュータと、
制御を行う際に発生する変動データを記憶する払出制御用変動データ記憶手段を有し、遊技媒体の払出の制御を行う払出制御用マイクロコンピュータと、
前記払出制御用マイクロコンピュータによって制御され、貸出要求に応じた遊技媒体の払出を行う払出手段と、
遊技機への電力供給が停止していても前記遊技制御用変動データ記憶手段および前記払出制御用変動データ記憶手段の記憶内容を所定期間保持させることが可能な記憶内容保持手段と、
前記遊技制御用マイクロコンピュータが搭載された遊技制御基板および前記払出制御用マイクロコンピュータが搭載された払出制御基板で用いられる電圧を作成する電源基板と、
遊技機で使用される所定の電源の状態を監視して電源断の発生を検出したときに検出信号を出力する電源監視手段とを備え、
前記遊技制御用マイクロコンピュータは、前記検出信号の入力に応じて、制御状態を前記遊技制御用変動データ記憶手段に保存させるための処理である遊技制御用電力供給停止時処理を実行した後に待機状態に移行し、
前記払出制御用マイクロコンピュータにおける前記変動データには、貸出要求にもとづく遊技媒体の払出数のうち払出しが完了していない未払出数を特定可能なデータが含まれており、
前記払出制御用マイクロコンピュータは、前記検出信号の入力に応じて、前記未払出数を特定可能なデータを含む制御状態を前記払出制御用変動データ記憶手段に保存させるための処理である払出制御用電力供給停止時処理を実行した後に待機状態に移行し、
前記電源監視手段が前記検出信号を出力した後の所定期間経過後に電力供給が停止していないときに、前記待機状態から復帰させるための復帰信号を出力する復帰信号出力手段を備え、
前記遊技制御用マイクロコンピュータは、電力供給が開始されたときまたは前記復帰信号の入力に応じて、前記遊技制御用変動データ記憶手段に保存されていた記憶内容にもとづいて制御状態を復旧させる状態復旧処理を行い、
前記払出制御用マイクロコンピュータは、電力供給が開始されたときまたは前記復帰信号の入力に応じて、前記未払出数を特定可能なデータが前記払出制御用変動データ記憶手段に保存されているときに該未払出数を特定可能なデータにもとづいて遊技媒体の払出制御を復旧させる状態復旧処理を行い、
前記電源監視手段は前記電源基板に設けられ、単一の前記電源監視手段から前記遊技制御用マイクロコンピュータおよび前記払出制御用マイクロコンピュータのそれぞれに検出信号が分岐して出力される
ことを特徴とする遊技機。
【請求項２】
遊技媒体を検出するための遊技媒体検出手段を備え、
払出制御用マイクロコンピュータは、電源監視手段が検出信号を出力したときに、前記遊技媒体検出手段からの検出信号の入力処理を所定期間実行した後、払出制御用電力供給停止時処理を行う
請求項１記載の遊技機。
【請求項３】
払出制御用マイクロコンピュータは、電源監視手段が検出信号を出力したときに、払出手段の駆動を停止した後、遊技媒体検出手段からの検出信号の入力処理を実行する
請求項２記載の遊技機。
【請求項４】
電源監視手段が検出信号を出力した後の、払出制御用マイクロコンピュータによる遊技媒体検出手段からの検出信号の入力処理の実行中に、前記払出制御用マイクロコンピュータおよび前記遊技媒体検出手段を駆動可能な電源を供給可能な補助駆動電源供給手段を備えた
請求項２または請求項３記載の遊技機。
【請求項５】
払出制御用マイクロコンピュータは、入賞に応じて払出手段を駆動して遊技媒体の払出を行う制御を実行し、
払出制御用変動データ記憶手段に記憶される変動データは、入賞に応じた遊技媒体の払出数のうち払出しが完了していない未払出数を特定可能なデータを含む
請求項１から請求項４のうちのいずれかに記載の遊技機。
【請求項６】
遊技媒体検出手段として、入賞に応じて払出手段から払い出された遊技媒体を検出する賞遊技媒体検出手段と、貸出要求に応じて払出手段から払い出された遊技媒体を検出する貸出遊技媒体検出手段とを別個に設けた
請求項５記載の遊技機。
【請求項７】
遊技機への電力供給が開始されたときに、払出制御用マイクロコンピュータに対して動作可能状態にするためのリセット信号を出力するリセット手段を備え、
前記払出制御用マイクロコンピュータは、前記リセット信号または復帰信号の入力に応じて、状態復旧処理を行う
請求項１から請求項６のうちのいずれかに記載の遊技機。
【請求項８】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、
前記第２の復帰信号出力手段が前記払出制御用マイクロコンピュータに復帰信号を出力した後に、前記第１の復帰信号出力手段が前記遊技制御用マイクロコンピュータに復帰信号を出力する
請求項１から請求項７のうちのいずれかに記載の遊技機。
【請求項９】
払出制御用マイクロコンピュータは、
電力供給が開始されたときに、定期的にタイマ割込が発生するように設定し、
定期的に発生するタイマ割込が生じたことにもとづいて遊技媒体の払出の制御を行うための割込処理を実行し、
払出制御用電力供給停止時処理にて、前記割込処理の実行を禁止する割込禁止状態または実行を許可する割込許可状態のうちいずれの状態であるかを示す割込状態データを払出制御用変動データ記憶手段に保存させる処理を実行し、
電力供給が開始されたときに、前記割込状態データにもとづいて割込禁止状態または割込許可状態に復旧させる状態復旧処理を行う
請求項１から請求項８のうちのいずれかに記載の遊技機。
【請求項１０】
払出制御用マイクロコンピュータは、遊技制御用マイクロコンピュータから遊技媒体に払出に関するコマンドを受信する処理中では割込処理の実行を禁止する割込禁止状態に設定する
請求項９記載の遊技機。
【請求項１１】
遊技制御用マイクロコンピュータは、
電力供給が開始されたときに、定期的にタイマ割込が発生するように設定し、
定期的に発生するタイマ割込が生じたことにもとづいて遊技の進行を制御するための割込処理を実行し、
遊技制御用電力供給停止時処理にて、前記割込処理の実行を禁止する割込禁止状態または実行を許可する割込許可状態のうちいずれの状態であるかを示す割込状態データを遊技制御用変動データ記憶手段に保存させる処理を実行し、
電力供給が開始されたときに、前記割込状態データにもとづいて前記割込禁止状態または前記割込許可状態に復旧させる状態復旧処理を行う
請求項１から請求項１０のうちのいずれかに記載の遊技機。
【手続補正２】
【補正対象書類名】明細書
【補正対象項目名】０００９
【補正方法】変更
【補正の内容】
【０００９】
【課題を解決するための手段】
本発明による遊技機は、遊技者が所定の遊技を行うことが可能な遊技機であって、制御を行う際に発生する変動データを記憶する遊技制御用変動データ記憶手段を有し、遊技の進行を制御する遊技制御用マイクロコンピュータと、制御を行う際に発生する変動データを記憶する払出制御用変動データ記憶手段を有し、遊技媒体の払出の制御を行う払出制御用マイクロコンピュータと、払出制御用マイクロコンピュータによって制御され、貸出要求に応じた遊技媒体の払出を行う払出手段と、遊技機への電力供給が停止していても遊技制御用変動データ記憶手段および払出制御用変動データ記憶手段の記憶内容を所定期間保持させることが可能な記憶内容保持手段と、遊技制御用マイクロコンピュータが搭載された遊技制御基板および払出制御用マイクロコンピュータが搭載された払出制御基板で用いられる電圧を作成する電源基板と、遊技機で使用される所定の電源の状態を監視して電源断の発生を検出したときに検出信号を出力する電源監視手段とを備え、遊技制御用マイクロコンピュータは、検出信号の入力に応じて、制御状態を遊技制御用変動データ記憶手段に保存させるための処理である遊技制御用電力供給停止時処理を実行した後に待機状態に移行し、払出制御用マイクロコンピュータにおける変動データには、貸出要求にもとづく遊技媒体の払出数のうち払出しが完了していない未払出数を特定可能なデータが含まれており、払出制御用マイクロコンピュータは、検出信号の入力に応じて、未払出数を特定可能なデータを含む制御状態を払出制御用変動データ記憶手段に保存させるための処理である払出制御用電力供給停止時処理を実行した後に待機状態に移行し、電源監視手段が検出信号を出力した後の所定期間経過後に電力供給が停止していないときに、待機状態から復帰させるための復帰信号を出力する復帰信号出力手段を備え、遊技制御用マイクロコンピュータは、電力供給が開始されたときまたは復帰信号の入力に応じて、遊技制御用変動データ記憶手段に保存されていた記憶内容にもとづいて制御状態を復旧させる状態復旧処理を行い、払出制御用マイクロコンピュータは、電力供給が開始されたときまたは復帰信号の入力に応じて、未払出数を特定可能なデータが払出制御用変動データ記憶手段に保存されているときに該未払出数を特定可能なデータにもとづいて遊技媒体の払出制御を復旧させる状態復旧処理を行い、電源監視手段は電源基板に設けられ、単一の電源監視手段から遊技制御用マイクロコンピュータおよび払出制御用マイクロコンピュータのそれぞれに検出信号が分岐して出力されることを特徴とするものである。
【手続補正３】
【補正対象書類名】明細書
【補正対象項目名】００１０
【補正方法】変更
【補正の内容】
【００１０】
遊技媒体を検出するための遊技媒体検出手段を備え、払出制御用マイクロコンピュータは、電源監視手段が検出信号を出力したときに、遊技媒体検出手段からの検出信号の入力処理を所定期間実行した後、払出制御用電力供給停止時処理を行うことが好ましい。
【手続補正４】
【補正対象書類名】明細書
【補正対象項目名】００１１
【補正方法】変更
【補正の内容】
【００１１】
払出制御用マイクロコンピュータは、電源監視手段が検出信号を出力したときに、払出手段の駆動を停止した後、遊技媒体検出手段からの検出信号の入力処理を実行することが好ましい。
【手続補正５】
【補正対象書類名】明細書
【補正対象項目名】００１２
【補正方法】変更
【補正の内容】
【００１２】
電源監視手段が検出信号を出力した後の、払出制御用マイクロコンピュータによる遊技媒体検出手段からの検出信号の入力処理の実行中に、払出制御用マイクロコンピュータおよび遊技媒体検出手段を駆動可能な電源を供給可能な補助駆動電源供給手段を備えることが好ましい。
【手続補正６】
【補正対象書類名】明細書
【補正対象項目名】００１３
【補正方法】変更
【補正の内容】
【００１３】
払出制御用マイクロコンピュータは、入賞に応じて払出手段を駆動して遊技媒体の払出を行う制御を実行し、払出制御用変動データ記憶手段に記憶される変動データは、入賞に応じた遊技媒体の払出数のうち払出しが完了していない未払出数を特定可能なデータを含むとしてもよい。
【手続補正７】
【補正対象書類名】明細書
【補正対象項目名】００１４
【補正方法】変更
【補正の内容】
【００１４】
遊技媒体検出手段として、入賞に応じて払出手段から払い出された遊技媒体を検出する賞遊技媒体検出手段と、貸出要求に応じて払出手段から払い出された遊技媒体を検出する貸出遊技媒体検出手段とを別個に設けることが好ましい。
【手続補正８】
【補正対象書類名】明細書
【補正対象項目名】００１５
【補正方法】変更
【補正の内容】
【００１５】
遊技機への電力供給が開始されたときに、払出制御用マイクロコンピュータに対して動作可能状態にするためのリセット信号を出力するリセット手段を備え、払出制御用マイクロコンピュータは、リセット信号または復帰信号の入力に応じて、状態復旧処理を行うようにしてもよい。
【手続補正９】
【補正対象書類名】明細書
【補正対象項目名】００１６
【補正方法】変更
【補正の内容】
【００１６】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、第２の復帰信号出力手段が払出制御用マイクロコンピュータに復帰信号を出力した後に、第１の復帰信号出力手段が遊技制御用マイクロコンピュータに復帰信号を出力するようにしてもよい。
【手続補正１０】
【補正対象書類名】明細書
【補正対象項目名】００１７
【補正方法】変更
【補正の内容】
【００１７】
払出制御用マイクロコンピュータは、電力供給が開始されたときに、定期的にタイマ割込が発生するように設定し、定期的に発生するタイマ割込が生じたことにもとづいて遊技媒体の払出の制御を行うための割込処理を実行し、払出制御用電力供給停止時処理にて、割込処理の実行を禁止する割込禁止状態または実行を許可する割込許可状態のうちいずれの状態であるかを示す割込状態データを払出制御用変動データ記憶手段に保存させる処理を実行し、電力供給が開始されたときに、割込状態データにもとづいて割込禁止状態または割込許可状態に復旧させる状態復旧処理を行うようにしてもよい。
【手続補正１１】
【補正対象書類名】明細書
【補正対象項目名】００１８
【補正方法】変更
【補正の内容】
【００１８】
払出制御用マイクロコンピュータは、遊技制御用マイクロコンピュータから遊技媒体に払出に関するコマンドを受信する処理中では割込処理の実行を禁止する割込禁止状態に設定することが好ましい。
【手続補正１２】
【補正対象書類名】明細書
【補正対象項目名】００１９
【補正方法】変更
【補正の内容】
【００１９】
遊技制御用マイクロコンピュータは、電力供給が開始されたときに、定期的にタイマ割込が発生するように設定し、定期的に発生するタイマ割込が生じたことにもとづいて遊技の進行を制御するための割込処理を実行し、遊技制御用電力供給停止時処理にて、割込処理の実行を禁止する割込禁止状態または実行を許可する割込許可状態のうちいずれの状態であるかを示す割込状態データを遊技制御用変動データ記憶手段に保存させる処理を実行し、電力供給が開始されたときに、割込状態データにもとづいて割込禁止状態または割込許可状態に復旧させる状態復旧処理を行うように構成されていてもよい。
【手続補正１３】
【補正対象書類名】明細書
【補正対象項目名】０４１１
【補正方法】変更
【補正の内容】
【０４１１】
【発明の効果】
以上のように、本発明によれば、遊技機を、変動データに、貸出要求にもとづく遊技媒体の払出数のうち払出しが完了していない未払出数を特定可能なデータが含まれる構成とされ、払出制御用マイクロコンピュータは、電力供給再開時に記憶内容保持手段により保持された未払出数を特定可能なデータにもとづいて遊技媒体の払出制御を再開することが可能であって、電源監視手段によって所定の電源の状態があらかじめ定められた所定の状態になったことが検出された場合に、制御状態の保存に関わる電力供給停止時処理を行った後に待機状態になる構成としている。また、電源監視手段によって所定の状態になったことが検出された後の所定期間経過後に電力供給が停止していない場合に待機状態から復帰させるための復帰信号を出力可能な復帰信号出力手段を備えたことを特徴とする。従って、電源断が発生した場合であっても、未払出しの貸出遊技媒体数をバックアップ記憶することができ、適正な制御状態を保存することが可能となる。また、復帰信号によって遊技制御用マイクロコンピュータおよび払出制御用マイクロコンピュータを制御実行状態に復帰させることが可能になり、その結果、ごく短時間で復旧する電源の瞬断等が生じても制御に支障を来すことがないという効果を得ることができる。また、電源監視手段は電源基板に設けられ、単一の電源監視手段から遊技制御用マイクロコンピュータおよび払出制御用マイクロコンピュータのそれぞれに検出信号が分岐して出力されるので、電源監視手段から複数のマイクロコンピュータに検出信号を供給することができ、検出信号を必要とするマイクロコンピュータが幾つあっても電源監視手段は１つ設けられていればよいので、各マイクロコンピュータが復帰制御を行っても遊技機のコストはさほど上昇しない。
【手続補正１４】
【補正対象書類名】明細書
【補正対象項目名】０４１２
【補正方法】変更
【補正の内容】
【０４１２】
遊技媒体を検出するための遊技媒体検出手段を備え、払出制御用マイクロコンピュータが、電源監視手段が検出信号を出力したときに、遊技媒体検出手段からの検出信号の入力処理を所定期間実行した後、払出制御用電力供給停止時処理を行うとした場合には、検出すべき遊技媒体を検出することができ、遊技媒体数に関する適正な制御状態をバックアップ記憶することができる。
【手続補正１５】
【補正対象書類名】明細書
【補正対象項目名】０４１３
【補正方法】変更
【補正の内容】
【０４１３】
払出制御用マイクロコンピュータが、電源監視手段が検出信号を出力したときに、払出手段の駆動を停止した後、遊技媒体検出手段からの検出信号の入力処理を実行するとした場合には、貸出遊技媒体払出機構部によって新たに遊技媒体が払い出されることがないようにした状態で、遊技媒体の検出を行うことができるため、遊技媒体数に関するさらに適正な制御状態をバックアップ記憶することができる。
【手続補正１６】
【補正対象書類名】明細書
【補正対象項目名】０４１４
【補正方法】変更
【補正の内容】
【０４１４】
電源監視手段が検出信号を出力した後の、払出制御用マイクロコンピュータによる遊技媒体検出手段からの検出信号の入力処理の実行中に、払出制御用マイクロコンピュータおよび遊技媒体検出手段を駆動可能な電源を供給可能な補助駆動電源供給手段を備えた場合には、遊技媒体検出手段からの検出信号の入力処理を確実に完了することができるため、適正な遊技媒体の検出処理を行うことが可能となる。
【手続補正１７】
【補正対象書類名】明細書
【補正対象項目名】０４１５
【補正方法】変更
【補正の内容】
【０４１５】
払出制御用マイクロコンピュータは、入賞に応じて払出手段を駆動して遊技媒体の払出を行う制御を実行し、払出制御用変動データ記憶手段に記憶される変動データは、入賞に応じた遊技媒体の払出数のうち払出しが完了していない未払出数を特定可能なデータを含むとした場合には、貸出要求に応じて払い出される遊技媒体の未払出数だけでなく、遊技の進行に応じて払い出される遊技媒体の未払出数をも適正にバックアップ記憶することが可能となる。
【手続補正１８】
【補正対象書類名】明細書
【補正対象項目名】０４１７
【補正方法】変更
【補正の内容】
【０４１７】
遊技機への電力供給が開始されたときに、払出制御用マイクロコンピュータに対して動作可能状態にするためのリセット信号を出力するリセット手段を備え、払出制御用マイクロコンピュータが、リセット信号または復帰信号の入力に応じて、状態復旧処理を行うように構成されている場合には、遊技制御用マイクロコンピュータおよび払出制御用マイクロコンピュータを確実に制御実行状態に復帰させることができる。
【手続補正１９】
【補正対象書類名】明細書
【補正対象項目名】０４１８
【補正方法】変更
【補正の内容】
【０４１８】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、第２の復帰信号出力手段が払出制御用マイクロコンピュータに復帰信号を出力した後に、第１の復帰信号出力手段が遊技制御用マイクロコンピュータに復帰信号を出力するように構成した場合には、遊技制御用マイクロコンピュータおよび払出制御用マイクロコンピュータの起動の順序付けを簡易に実現することができる。
【手続補正２０】
【補正対象書類名】明細書
【補正対象項目名】０４１９
【補正方法】削除
【補正の内容】
【手続補正２１】
【補正対象書類名】明細書
【補正対象項目名】０４２０
【補正方法】削除
【補正の内容】
【手続補正２２】
【補正対象書類名】明細書
【補正対象項目名】０４２１
【補正方法】削除
【補正の内容】